(57)【要約】【課題】ズームレンズを所望のズーム位置に速やかに設定することが可能なカメラを提供することである。【解決手段】このカメラは、操作者の操作によって被写体１１に対する撮影範囲が変更可能である。そして、このカメラは、撮影レンズ１２の焦点距離を変更させることにより撮影範囲を変更する光学ズームモードと、カメラの撮影レンズ１２の焦点距離を変化させることなく撮影範囲を変更するデジタルズームモードと、が相互に切り替え可能である。光学ズームモードの場合は、撮像素子１７から得られた被写体像の全領域を使って画像処理部３４にて画像処理が行われる。一方、デジタルズームモードの場合は、撮像素子１７から得られた被写体像の一部の領域を使って画像処理が行われる。また、上記光学ズームモードとデジタルズームモードとが相互に切り替わる際の一時停止の可否が、モード設定部５２によりカメラの状況に応じて設定される。【選択図】      図１
2005328253.tif 000002
【特許請求の範囲】
【請求項１】
操作者の操作により撮影範囲を変更可能なズーム手段と、
被写体の像を得る撮像手段と、
上記ズーム手段の出力に応じて、カメラの撮影レンズの焦点距離を変更させることにより撮影範囲を変更する光学ズームモードと、カメラの撮影レンズの焦点距離を変化させることなく撮影範囲を変更するデジタルズームモードと、が相互に切り替え可能であって、上記光学ズームモードの場合は、上記撮像手段から得られた被写体像の全領域を使って画像処理を行い、上記デジタルズームモードの場合は、上記撮像手段から得られた被写体像の一部の領域を使って画像処理を行う画像処理手段と、
上記光学ズームモードとデジタルズームモードとが相互に切り替わる際の一時停止の可否をカメラの状況に応じて決定するズーム一時停止可否手段と、
を備えることを特徴とするカメラ。
【請求項２】
上記一時停止が可能な場合で、操作者が上記ズーム手段の操作を停止した場合の撮影範囲の最終的な状態は、操作者が操作を停止した時点の撮影範囲の状態と同じであることを特徴とする請求項１に記載のカメラ。
【請求項３】
上記光学ズームモード時に於いて撮影レンズの焦点距離が最も長い位置にある状態で撮影者が上記ズーム手段を停止した場合は、上記撮影レンズの焦点距離が最も長い位置になることを特徴とする請求項２に記載のカメラ。
【請求項４】
上記光学ズームモード時に於いて撮影レンズの焦点距離が最も短い位置にある状態で撮影者が上記ズーム手段を停止した場合は、上記撮影レンズの焦点距離が最も短い位置になることを特徴とする請求項２に記載のカメラ。
【請求項５】
上記デジタルズームモード時に於いて使用する被写体像の一部の領域が最も狭い状態で撮影者が上記ズーム手段を停止した場合は、使用する被写体像の一部の領域が最も狭いことを特徴とする請求項２に記載のカメラ。
【請求項６】
上記デジタルズームモード時に於いて使用する被写体像の一部の領域が最も広い状態で撮影者が上記ズーム手段を停止した場合は、使用する被写体像の一部の領域が最も広いことを特徴とする請求項２に記載のカメラ。
【請求項７】
上記ズーム一時停止可否手段は、上記光学ズームモード時に上記撮影レンズの焦点距離が最も長い位置若しくは最も短い位置であるように上記ズーム手段を停止する必要がある場合、或いは上記デジタルズームモード時に使用する被写体像の一部の領域が最も狭い若しくは最も広くなるように上記ズーム手段を停止する必要がある場合は一時停止を行い、それ以外の場合は一時停止を行わないことを特徴とする請求項１若しくは２の何れか１に記載のカメラ。
【請求項８】
ズームレンズを有する撮影レンズを介して入力される被写体の像を得る撮像手段と、
上記撮像手段の撮影範囲を変更可能なもので、上記撮影レンズの焦点距離を変更させることにより上記撮影範囲を変更する光学ズームモードと、上記撮影レンズの焦点距離を変化させることなく上記撮影範囲を変更するデジタルズームモードとをが相互に切り替え可能なズーム手段と、
上記ズーム手段によって上記光学ズームモードに切り替えられた場合には上記撮像手段から得られた被写体像の全領域を使用して画像処理を行い、上記デジタルズームモードに切り替えられた場合には上記撮像手段から得られた被写体像の一部の領域を使用して画像処理を行う画像処理手段と、
を具備することを特徴とするカメラ。
【請求項９】
上記光学ズームモードと上記デジタルズームモードとが相互に切り替わる際に一時停止を行うか否かを決定するズーム一時停止設定手段を更に具備し、
上記ズーム一時停止設定手段で一時停止を行う設定がなされた場合であって、上記ズーム手段の操作を停止した場合の撮影範囲は、該操作を停止をした時点の撮影範囲であることを特徴とする請求項８に記載のカメラ。
【請求項１０】
上記ズーム手段は、上記光学ズームモード時に於いて、撮影レンズの焦点距離が最も長い位置で停止した場合は、光学ズームの望遠側の端部であることを特徴とする請求項９に記載のカメラ。
【請求項１１】
上記ズーム手段は、上記光学ズームモード時に於いて、撮影レンズの焦点距離が最も短い位置で停止した場合は、光学ズームの広角側の端部であることを特徴とする請求項９に記載のカメラ。
【請求項１２】
上記ズーム手段は、上記デジタルズームモード時に於いて、使用する被写体像の一部の領域が最も狭い状態で停止した場合は、デジタルズームの望遠側の端部であることを特徴とする請求項９に記載のカメラ。
【請求項１３】
上記ズーム手段は、上記デジタルズームモード時に於いて、使用する被写体像の一部の領域が最も広い状態で停止した場合は、デジタルズームの広角側の端部であることを特徴とする請求項９に記載のカメラ。
【請求項１４】
現在のズーム位置が上記光学ズームモード及び上記デジタルズームモードの何れにあるかを表示する表示手段を更に具備することを特徴とする請求項１乃至１３の何れか１に記載のカメラ。
【発明の詳細な説明】
【技術分野】
【０００１】
本発明は、デジタルズームモードを有するカメラの、光学ズームモードとデジタルズームモードとの切り換え制御に関するものである。
【背景技術】
【０００２】
撮影レンズの焦点距離を超えてワイドな写真やズームアップした写真を得るために、被写体の像を得る撮像手段（銀塩カメラではフィルム、デジタルカメラではＣＣＤ等の撮像素子）の天地左右をトリミングしてパノラマ効果を得たり、天地左右をトリミングしてズームアップ効果を得る方法が知られている。
【０００３】
以下、撮像手段の天地または天地左右をトリミングして擬似的に撮影レンズの焦点距離を変えるモードをデジタルズームモード、撮影レンズの焦点距離を変えるモードを光学ズームモードと称する。
【０００４】
これらの機能を有するカメラは、カメラ操作者の利便性を考え、特別の操作をすることなく光学ズームモードからデジタルズームモードへ移行するものが多い。
【０００５】
いま、図１６に示されるようなズームレンズ２を有した撮影レンズが装着されたカメラ１を例とすると、このカメラ１には、レリーズスイッチ３、ズームアップを行うズームアップスイッチ４、ズームダウンを行うズームダウンスイッチ５と、表示部６及びファインダ７を有している。
【０００６】
そして、図１７に示されるように、ズームレンズの位置が光学ズームモードのワイド端にある場合に、ズームアップスイッチ４が押下されると、撮影レンズ２の焦点距離が長くなるように駆動される。そして、ズームレンズが光学ズームモードのテレ端にある場合にズームアップスイッチ４が押下されたままならば、そのままデジタルズームモードへ移行する。
【０００７】
ところが、カメラ操作者は、光学ズームモードのテレ端で被写体を撮影したいという要求がある場合は、図１６に示されるカメラでは、その実現が困難であるという課題を有していた。すなわち、図１８に示されるように、ズームレンズが光学ズームモードのテレ端にあることが撮影者により認識されて、直ぐにズームアップスイッチ４から指が離れたとする。しかしながら、カメラ側のズーム停止処理の遅れのために、光学ズームモードのテレ端を通り過ぎてしまう、という課題があった。
【０００８】
そこで、これを解決するカメラとして、光学ズームモードからデジタルズームモードへ移行する際に、光学テレ端で一時停止する、或いは、デジタルズームモードから光学ズームモードへ移行する際に、光学テレ端で一時停止するカメラが知られている（例えば特許文献１参照）。このカメラの動作は次の通りである。
【０００９】
図１９に示されるように、ズームレンズが光学ズームモードのワイド端にある場合に、ズームアップスイッチ４が押下されると、撮影レンズ２の焦点距離が長くなるように駆動される。そして、ズームレンズが光学ズームモードのテレ端に達すると撮影レンズの駆動が停止され、所定時間そのままの状態が維持される（一時停止）。その後、デジタルズームモードへ移行し、ズームアップ動作が継続される。
【００１０】
図２０に示されるように、撮影者はズーム動作が停止したことを認識したら、直ぐにズームアップスイッチ４から指を離せばよい。上記一時停止の期間は、撮影者がズーム動作が停止したことを認識して、直ぐにズームアップスイッチから指を離すと、デジタルズームモードへ移行する前にズーム動作を終了するように設定してある。したがって、このカメラを用いると簡単に光学ズームモードのテレ端で撮影することができる。
【特許文献１】特許第３０２４２４０号公報
【発明の開示】
【発明が解決しようとする課題】
【００１１】
しかしながら、上述した特許文献１に記載のカメラは、光学ズームの領域とデジタルズームの領域の切り替わり時には、どのような条件であっても一時停止するものであった。したがって、例えば、ズームレンズを光学ズームからデジタルズームモードのテレ端にしたい場合等は、こうした一時停止が無駄な時間となってしまい、操作性に支障を来すという課題を有している。
【００１２】
したがって本発明は、上記実状に鑑みてなされたものであり、ズームレンズ等のズーム手段を所望のズーム位置に速やかに設定することが可能なカメラを提供することを目的とする。
【課題を解決するための手段】
【００１３】
すなわち、請求項１に記載の発明は、操作者の操作により撮影範囲を変更可能なズーム手段と、被写体の像を得る撮像手段と、上記ズーム手段の出力に応じて、カメラの撮影レンズの焦点距離を変更させることにより撮影範囲を変更する光学ズームモードと、カメラの撮影レンズの焦点距離を変化させることなく撮影範囲を変更するデジタルズームモードと、が相互に切り替え可能であって、上記光学ズームモードの場合は、上記撮像手段から得られた被写体像の全領域を使って画像処理を行い、上記デジタルズームモードの場合は、上記撮像手段から得られた被写体像の一部の領域を使って画像処理を行う画像処理手段と、上記光学ズームモードとデジタルズームモードとが相互に切り替わる際の一時停止の可否をカメラの状況に応じて決定するズーム一時停止可否手段と、を備えることを特徴とする。
【００１４】
請求項２に記載の発明は、請求項１に記載の発明に於いて、上記一時停止が可能な場合で、操作者が上記ズーム手段の操作を停止した場合の撮影範囲の最終的な状態は、操作者が操作を停止した時点の撮影範囲の状態と同じであることを特徴とする。
【００１５】
請求項３に記載の発明は、請求項２に記載の発明に於いて、上記光学ズームモード時に於いて撮影レンズの焦点距離が最も長い位置にある状態で撮影者が上記ズーム手段を停止した場合は、上記撮影レンズの焦点距離が最も長い位置になることを特徴とする。
【００１６】
請求項４に記載の発明は、請求項２に記載の発明に於いて、上記光学ズームモード時に於いて撮影レンズの焦点距離が最も短い位置にある状態で撮影者が上記ズーム手段を停止した場合は、上記撮影レンズの焦点距離が最も短い位置になることを特徴とする。
【００１７】
請求項５に記載の発明は、請求項２に記載の発明に於いて、上記デジタルズームモード時に於いて使用する被写体像の一部の領域が最も狭い状態で撮影者が上記ズーム手段を停止した場合は、使用する被写体像の一部の領域が最も狭いことを特徴とする。
【００１８】
請求項６に記載の発明は、請求項２に記載の発明に於いて、上記デジタルズームモード時に於いて使用する被写体像の一部の領域が最も広い状態で撮影者が上記ズーム手段を停止した場合は、使用する被写体像の一部の領域が最も広いことを特徴とする。
【００１９】
請求項７に記載の発明は、請求項１若しくは２の何れか１に記載の発明に於いて、上記ズーム一時停止可否手段は、上記光学ズームモード時に上記撮影レンズの焦点距離が最も長い位置若しくは最も短い位置であるように上記ズーム手段を停止する必要がある場合、或いは上記デジタルズームモード時に使用する被写体像の一部の領域が最も狭い若しくは最も広くなるように上記ズーム手段を停止する必要がある場合は一時停止を行い、それ以外の場合は一時停止を行わないことを特徴とする。
【００２０】
請求項８に記載の発明は、ズームレンズを有する撮影レンズを介して入力される被写体の像を得る撮像手段と、上記撮像手段の撮影範囲を変更可能なもので、上記撮影レンズの焦点距離を変更させることにより上記撮影範囲を変更する光学ズームモードと、上記撮影レンズの焦点距離を変化させることなく上記撮影範囲を変更するデジタルズームモードとをが相互に切り替え可能なズーム手段と、上記ズーム手段によって上記光学ズームモードに切り替えられた場合には上記撮像手段から得られた被写体像の全領域を使用して画像処理を行い、上記デジタルズームモードに切り替えられた場合には上記撮像手段から得られた被写体像の一部の領域を使用して画像処理を行う画像処理手段と、を具備することを特徴とする。
【００２１】
請求項９に記載の発明は、請求項８に記載の発明に於いて、上記光学ズームモードと上記デジタルズームモードとが相互に切り替わる際に一時停止を行うか否かを決定するズーム一時停止設定手段を更に具備し、上記ズーム一時停止設定手段で一時停止を行う設定がなされた場合であって、上記ズーム手段の操作を停止した場合の撮影範囲は、該操作を停止をした時点の撮影範囲であることを特徴とする。
【００２２】
請求項１０に記載の発明は、請求項９に記載の発明に於いて、上記ズーム手段は、上記光学ズームモード時に於いて、撮影レンズの焦点距離が最も長い位置で停止した場合は、光学ズームの望遠側の端部であることを特徴とする。
【００２３】
請求項１１に記載の発明は、請求項９に記載の発明に於いて、上記ズーム手段は、上記光学ズームモード時に於いて、撮影レンズの焦点距離が最も短い位置で停止した場合は、光学ズームの広角側の端部であることを特徴とする。
【００２４】
請求項１２に記載の発明は、請求項９に記載の発明に於いて、上記ズーム手段は、上記デジタルズームモード時に於いて、使用する被写体像の一部の領域が最も狭い状態で停止した場合は、デジタルズームの望遠側の端部であることを特徴とする。
【００２５】
請求項１３に記載の発明は、請求項９に記載の発明に於いて、上記ズーム手段は、上記デジタルズームモード時に於いて、使用する被写体像の一部の領域が最も広い状態で停止した場合は、デジタルズームの広角側の端部であることを特徴とする。
【００２６】
請求項１４に記載の発明は、請求項１乃至１３の何れか１に記載の発明に於いて、現在のズーム位置が上記光学ズームモード及び上記デジタルズームモードの何れにあるかを表示する表示手段を更に具備することを特徴とする。
【発明の効果】
【００２７】
本発明によれば、ズームレンズ等のズーム手段を所望のズーム位置に速やかに設定することが可能なカメラを提供することができる。
【発明を実施するための最良の形態】
【００２８】
以下、図面を参照して本発明の実施形態について説明する。
【００２９】
図１は、本発明の一実施形態の構成を示すカメラのブロック図である。
【００３０】
本実施形態のカメラは、いわゆるコンパクトタイプのデジタルカメラである。
【００３１】
図１に於いて、被写体１１からの光は、撮影レンズ１２、絞り１３、レンズシャッタ１４、ズームレンズ１５、色分解フィルタ１６を介して撮像手段である撮像素子１７上に結像される。また、ファインダ対物レンズ２０及び接眼レンズ２１を介して入射された上記被写体１１からの光は、撮影者２２により視認されるもので、撮影範囲やシャッタチャンスの決定に用いられる。
【００３２】
本実施形態のカメラは、カメラ制御部２５により全体の制御動作が司られる。そして、このカメラ制御部２５には、バスを介して、レンズ駆動部２６と、絞り駆動部２７と、シャッタ駆動部２８と、ズーム手段であるズーム駆動部２９と、画像取り出し部３２と、画像記憶部３３と、画像処理手段である画像処理部３４と、撮像素子感度設定部３５と、デジタルズーム部３７と、ズーム一時停止部３８と、動画処理部３９と、絞り選択部４１と、測光部４３と、測距部４５と、ストロボ発光部４８及びストロボ充電部４９とが接続されている。
【００３３】
加えて、上記カメラ制御部２５には、ズーム一時停止可否手段（ズーム一時停止設定手段）であるモード設定部５２と、画像表示部５３と、表示手段である表示部５４と、レリーズスイッチ５６を有したレリーズスイッチ部５５と、ズームアップスイッチ５８ａ及びズームダウンスイッチ５８ｂから成るズームスイッチ５８を有したズームスイッチ部５７とが接続されている。
【００３４】
被写体１１からの光は測光センサ４２に入射され、この測光センサ４２の出力に基づいて測光部４３にて被写体１１の輝度が計測される。測光部４３の出力に応じて、絞り駆動部２７により絞りが駆動されて、撮像素子感度設定部３５により撮像素子１７の感度が変更される。
【００３５】
また、上記被写体１１からの光は測距センサ４４に入射され、この測距センサ４４からの出力に基づいて測距部４５にて被写体１１までの距離が計測される。測距部４５の出力に応じてレンズ駆動部２６により撮影レンズ１２が駆動されることにより、被写体１１にピントが合わせられる。
【００３６】
上記撮像素子１７に結像された被写体１１の像は、画像取り出し部３２によって取り出され、画像処理部３４にて撮影画像の処理が行われる。その後、該撮影画像は画像記憶部３３に記憶されると共に、画像表示部５３にて被写体画像として表示される。尚、動画撮影の場合は、被写体の像が取り出された後、動画処理部３９で動画としての処理が行われる。そして、画像記憶部３３に記憶されると共に、画像表示部５３にて被写体画像が表示される。
【００３７】
ストロボ充電部４９では、図示されないストロボ発光用コンデンサに電荷が蓄積される。そして、撮影するタイミングにて、上記ストロボ発光用コンデンサに蓄積された電荷がキセノン管４７に流されることにより発光される。
【００３８】
レンズシャッタ１４は、通常開いており、これにより、被写体１１の像が画像表示部５３に逐次表示されて、画像表示部５３がファインダの役目をも果たせるようになっている。撮影者によりレリーズスイッチ５６が操作されて撮影が開始されると、レンズシャッタ１４が閉じられてから上述した通りに被写体１１の像が取り出された後、記憶、表示が行われる。撮影時にレンズシャッタ１４が閉じられるのは、画像が取り出されている最中に被写体１１が動いたりカメラが動いたりして、撮像素子１７上の被写体像が変わってしまうのを防ぐためである。
【００３９】
モード設定部５２では、カメラの各種モードが設定されると共に、ズームの一時停止の可否も設定される。上記表示部５４では、カメラの各種情報が表示される。更に、ズームスイッチ部５５では、ズームスイッチ５６が操作されると、ズームレンズ１５が駆動され、撮影レンズ１２の焦点距離が変更される。また、ズームスイッチ部５７では、画像の一部がトリミングされる。これについての詳細は、後述する。尚、ズーム一時停止部３８では、モード設定部５２の出力に応じて、ズームレンズ１５の一時停止が制御される。この詳細については後述する。
【００４０】
図２は、本実施形態に於けるカメラのデジタルズーム処理様態の例を示した図である。
【００４１】
図２（ａ）及び（ｂ）はデジタルズーム処理をしない場合、（ｃ）はデジタルズーム処理を行う場合の画像の例を示した図である。
【００４２】
図２（ａ）の状態は、カメラから被写体が近いので、撮像素子１７の撮像領域６１いっぱいに被写体の像６２が形成されている。これをそのまま取り出すと、図２（ｄ）に示される画像６３ａのようになり、撮影者が所望とする画像を得ることができる。
【００４３】
図２（ｂ）の状態は、カメラから被写体が遠いので、撮影レンズの焦点距離はいっぱいに長くされた状態である。しかしながら、それでも被写体が遠いので、被写体の像６２は撮像領域にたいして小さく形成されてしまう。これをそのまま取り出すと、図２（ｅ）に示される画像６３ｂのようになり、撮影者が所望とする画像を得ることができない。
【００４４】
図２（ｃ）の状態は、被写体までの距離が図２（ｂ）に示される例と同じであり、（ｂ）と同様に被写体の像６２は撮像領域６１に対して小さく形成されてしまう。そこで、デジタルズーム処理として、撮像素子領域６１内に示される枠線６４の内側のみを有効な撮影画像とする。すると、取り出された画像は、図２（ｆ）に示される画像６３ｃのようになり、撮影者が所望とする画像を得ることができる。これは、撮影レンズの焦点距離を長くしたのと同等の効果を得られるので、ここではデジタルズームと称する。また、撮影レンズの焦点距離を変更するズームは、デジタルズームと区別するために光学ズームと称するものとする。
【００４５】
尚、図２では、トリミングを行う領域を一通りしか示していないが、これに限るものではない。つまり、図３（ａ）に示されるように、トリミングを行う領域（トリミング領域）６４は、撮像領域６１から僅かに内側に入るようにしても良いし、図３（ｂ）に示されるように、図２（ｃ）と同じトリミング領域としても良い。或いは、図３（ｃ）に示されるように、画像が破綻しないところまで狭い領域をトリミングするようにしても良い。
【００４６】
また、図３（ａ）〜（ｃ）のトリミング領域６４の間を、連続的または段階的に設定できるようにしても良い。
【００４７】
次に、ズーム一時停止部３８が、「一時停止」の指令を出力する場合のズーム動作について説明する。
【００４８】
先ず、モード設定部５２によって、「ズーム一時停止有り」のモードが設定されると、カメラ制御部２５内でこれが検出されて、ズーム一時停止部３８から「一時停止」の指令が出力される。
【００４９】
図４は、本実施形態のズーム動作の例を説明するもので、操作者がズームアップスイッチ５８ａをオンしたままの場合を示している。
【００５０】
最初、撮影レンズ１２は焦点距離が最も短い位置（光学ズームワイド（広角）端）にある。ここで、撮影者によりズームアップスイッチ５８ａがオンされると、カメラ制御部２５によりズームアップスイッチオンが検出されて、ズーム駆動部２９へ「ズームアップ」の指令が出される。ズーム駆動部２９では、これに応じてズームレンズ１５を駆動し、撮影レンズ１２の焦点距離が徐々に長くなる。
【００５１】
そして、撮影レンズ１２の焦点距離が最も長い位置（光学ズームテレ（望遠）端）に到達すると、ズーム駆動部２９によるズームレンズ１５の駆動が停止される。その後、所定時間（ｔ１）、この状態が維持される。
【００５２】
続いて、デジタルズーム部３７により、画像の一部がトリミングされる処理に移行する（デジタルズームワイド端）。デジタルズーム部３７が有効とする画像の領域は、最初は撮像素子１７の撮像領域のほぼ全面であり、その後上記画像の一部となる領域へと徐々に狭くなる。そして、有効領域が予め定めたところまで狭くなると（デジタルズームテレ端）、それ以上狭くなるのが停止される。
【００５３】
図５は、操作者がズームアップスイッチ５８ａを途中でオフした場合のズーム動作を説明する図である。
【００５４】
図５（ａ）は、光学ズームワイド端から光学ズームテレ端の間でオフした場合を示している。
【００５５】
カメラ制御部２５によって、ズームアップスイッチオフが検出されると、ズーム駆動部２９へ「ズーム駆動停止」の指令が出される。ズーム駆動部２９はこれに応じて、ズームレンズ１５の駆動が停止される。遅れ時間Ａ（ｔ２）は、操作者がズームアップスイッチをオフしてからズームレンズ１５の駆動が停止するまでの処理に要する時間である。
【００５６】
図５（ｂ）は、デジタルズームワイド端からデジタルズームテレ端の間でオフされた場合のズーム動作を示している。
【００５７】
カメラ制御部２５によって、ズームアップスイッチオフが検出されると、デジタルズーム部３７へ「有効領域決定」の指令が出される。ここで、有効領域とはデジタルズーム時に於いて画像処理に使用される被写体像の一部の領域のことである。デジタルズーム部３７は、これに応じて有効領域を狭くすることが停止される。遅れ時間Ｂ（ｔ３）は、操作者がズームアップスイッチ５８ａをオフしてから有効領域を狭くすることが停止されるまでの処理に要する時間である。
【００５８】
図５（ｃ）は、（ｂ）と同様に、デジタルズームワイド端からデジタルズームテレ端の間で、所定時間（ｔ１）にオフされた場合のズーム動作を示している。
【００５９】
カメラ制御部２５により、ズームアップスイッチオフが検出されると、ズーム駆動部２９「ズーム駆動停止」の指令が出される。加えて、デジタルズーム部３７へ「有効領域決定」の指令が出される。これに応じて、ズーム駆動部２９によるズームレンズ１５の駆動が停止されると共に、デジタルズーム部３７によって有効領域が狭くなることが停止される。
【００６０】
したがって、カメラの状態は、撮影レンズの焦点距離は光学ズームテレ端のままであり、デジタルズーム部３７はトリミング処理が行われないままである。所定時間（ｔ１）は上記遅れ時間Ａ（ｔ２）や遅れ時間Ｂ（ｔ３）よりも長いので、ズームアップ動作の停止に撮影者が気付いてズームアップスイッチ５８ａがオフにされると、カメラの状態は、撮影レンズ１２の焦点距離は光学ズームテレ端のまま、デジタルズーム部３７はトリミング処理を行わないまま、となる。
【００６１】
尚、ここではズームアップの場合について説明したが、ズームダウンの場合も同様である。
【００６２】
図６は、操作者がズームダウンスイッチ５８ｂをオンしたままのズーム動作を説明する図である。
【００６３】
例えば、図６に示されるように、最初、撮影レンズ１５は焦点距離が最も長い位置にあって、デジタルズーム部３７が最も狭い領域を有効にしている（デジタルズームテレ端）。撮影者によりズームダウンスイッチがオンされると、カメラ制御部２５により、ズームダウンスイッチオンが検出されて、デジタルズーム部３７へ「ズームダウン」の指令が出される。デジタルズーム部３７では、これに応じて有効領域が徐々に広くされる。そして、有効領域が最も広いところ（デジタルワイド端）に到達すると、デジタルズーム部３７による有効領域を広くすることが停止される。
【００６４】
その後、所定時間（ｔ１）、この状態が維持される。続いて、ズーム駆動部２９によりズームレンズ１５が駆動され、撮影レンズ１２の焦点距離が徐々に短くなる。そして、撮影レンズ１２の焦点距離が最も短い位置（光学ズームワイド端）に到達すると、ズーム駆動部２９によるズームレンズの駆動が停止される。
【００６５】
図７（ａ）〜（ｃ）は操作者がズームダウンスイッチを途中でオフした場合の動作を説明する図である。
【００６６】
図７（ａ）は、光学ズームワイド端から光学ズームテレ端の間でオフした場合の動作を示している。上述したズームアップの場合と同様に、ズームダウンスイッチ５８ｂのオフに応じて、ズーム駆動部２９によるズームレンズの駆動が停止される。
【００６７】
図７（ｂ）は、デジタルズームワイド端からデジタルズームテレ端の間でオフした場合を示している。ズームアップの場合と同様に、ズームダウンスイッチ５８ｂのオフに応じて、デジタルズーム部３７による有効領域を広くすることが停止される。
【００６８】
図７（ｃ）は、所定時間（ｔ１）にオフした場合を示している。カメラ制御部２５によりズームダウンスイッチオフが検出されると、ズーム駆動部２９へ「ズーム駆動停止」の指令が出され、更にデジタルズーム部３７へ「有効領域決定」の指令が出される。ズーム駆動部２９では、これに応じてズームレンズ１５の駆動が停止され、デジタルズーム部３７ではこれに応じて、有効領域を広くすることが停止される。したがって、カメラの状態は、撮影レンズ１２の焦点距離は光学ズームテレ端のままであり、デジタルズーム部３７によるトリミング処理はなされないままである。
【００６９】
次に、ズーム一時停止部３８により「一時停止不要」の指令を出力する場合のズーム動作について説明する。
【００７０】
先ず、モード設定部５２によって、「ズーム一時停止無し」のモードが設定されると、カメラ制御部２５内でこれが検出されて、ズーム一時停止部３８から「一時停止無し」の指令が出力される。
【００７１】
図８は、本実施形態のズーム動作を説明するもので、操作者がズームアップスイッチ５８ａをオンしたままの例を示した図である。
【００７２】
最初、撮影レンズ１２は焦点距離が最も短い位置（光学ズームワイド端）にある。そして、撮影者によりズームアップスイッチ５８ａがオンされると、カメラ制御部２５によりズームアップスイッチオンが検出されて、ズーム駆動部２９へ「ズームアップ」の指令が出される。これに応じて、ズーム駆動部２９によりズームレンズ１５が駆動され、撮影レンズ１２の焦点距離が徐々に長くなる。そして、撮影レンズ１２の焦点距離が最も長い位置（光学ズームテレ端）に到達すると、ズーム駆動部２９によるズームレンズ１５の駆動が停止される。
【００７３】
その後、直ちにデジタルズーム部３７により画像の一部がトリミングされる処理に移行する（デジタルズームワイド端）。デジタルズーム部３７が有効とされる画像の領域は、最初は撮像素子１７の撮像領域のほぼ全面であり、その後徐々に狭くされていく。そして、有効領域が、予め定めたところまで狭くなると（デジタルズームテレ端）、それ以上狭くされるのが停止される。
【００７４】
光学ズームワイド端からデジタルズームテレ端までの駆動に要する時間は、ズーム一時停止部３８により、上述した「一時停止」の指令が出力される場合はｔα、ズーム一時停止伏せ３８により「一時停止不要」の指令が出力される場合はｔβである。ここで、ｔαはｔβにｔ１を加えた時間になる（図４参照）。
【００７５】
図９は、操作者がズームアップスイッチ５８ａを途中でオフした例のズーム動作を説明する図である。
【００７６】
ズームアップスイッチ５８ａが、光学ズームワイド端から光学ズームテレ端の間でオフされた場合と、デジタルズームワイド端からデジタルズームテレ端の間でオフされた場合は、上述したズーム一時停止部３８による「一時停止」の指令が出力される場合のズーム動作（図５（ａ）、（ｂ）参照）と同じであるので、ここでは説明を省略する。
【００７７】
ズーム一時停止部３８による「一時停止不要」の指令が出力される場合は、光学ズームテレ端で一時停止される時間（ｔ１）が無いので、光学ズームテレ端でズームアップスイッチ５８ａがオフされても、光学ズームテレ端を通り過ぎてしまう。つまり、カメラ制御部２５によりズームアップスイッチオフが検出されると、ズーム駆動部２９へ「ズーム駆動停止」の指令が出されて、更にデジタルズーム部３７へ「有効領域決定」の指令が出される。
【００７８】
これに応じて、ズーム駆動部２９によるズームレンズ１５の駆動が停止され、デジタルズーム部３７ではこれに応じて、有効領域を狭くすることが停止される。ところが、遅れ時間Ｂ（ｔ３）があるので、ズーム駆動は直ぐには止まらず、デジタルズームモードへ移行してから停止されることになる。
【００７９】
次に、ズーム一時停止部３８により「一時停止」の指令が出力される場合と、「一時停止不要」の指令が出力される場合のカメラ状況について説明する。
【００８０】
初めに、動画撮影中のズーム動作を例にとって説明する。
【００８１】
図１０に示されるように、動画撮影中にズームアップする被写体像は、画面６５に対して徐々に大きくなる。図１０（ａ）はズームアップ直前の画像を示しており、画面６５に対して被写体が小さく写っている。ズームアップが開始されると、被写体像が徐々に大きくなり、その途中では図１０（ｂ）に示されるようになる。そして、ズームアップの最後は、図１０（ｃ）に示されるように、画面６５に対する被写体像が大きくなる。
【００８２】
このとき、撮影者は、図１１（ａ）に示されるように、被写体像がスムーズに大きくなることを期待している。つまり、図１１（ｂ）に示されるように、途中でズームアップが一時停止しては困ることになる。したがって、動画撮影中は、ズーム一時停止部３８ではズーム一時停止を禁止する制御が行われる。
【００８３】
続いて、動画撮影中以外のカメラ状況について説明する。
【００８４】
操作者が予め一時停止するかどうかを決めて、一時停止モードをカメラが記憶し、そのスイッチがオンになっていれば一時停止し、オフになっていれば一時停止しないようにする。したがって、カメラは撮影者が所望する動作をすることになる。以下、各種の操作に応じた、ズーム一時停止の有無について説明する。
【００８５】
図１２に示されるように、ズームアップスイッチ５８ａ、ズームダウンスイッチ５８ｂは、各々が二段スイッチで構成されている。何れかのズームスイッチが軽く押されると一段目のスイッチのみがオンされ、強く押されると二段目のスイッチもオンされる。また、一段目のみオンになっていれば一時停止し、二段目もオンになっていれば一時停止しない。つまり、操作者が光学ズームテレ端に停止させたい場合はズームスイッチを軽く押せば良く、また、速くズーム駆動したい場合はズームスイッチを強く押せば良い。
【００８６】
尚、画像処理部３４にて撮影画像のノイズを低減する処理が行われるモードならば一時停止はせず、低減処理が行われないモードであれば一時停止する。
【００８７】
また、シャッタ秒時が長秒時まで延びるモードであれば一時停止し、手ぶれ秒時までのモードならば一時停止しないようにする。一般に、手ぶれを防止するためにシャッタ秒時の長秒時限界を、いわゆる手ぶれ秒時までとしている。ところが、このままでは夜間等、暗いシーンでは撮影画像が暗くなってしまうので、モードを切り替えることにより、手ぶれ秒時よりも長い秒時まで長秒時限界を延ばすことができる。
【００８８】
撮影モードがポートレートモードまたは記念写真モードならば一時停止し、風景モードまたは夜景モードならば一時停止しないようにする。一般に、特に綺麗な画像や大切な画像を得るためのモードとして、ポートレートモードや記念写真モードがある。
【００８９】
更に、ストロボモードがオートまたは強制発光ならば一時停止し、発光禁止ならば一時停止しないようにする。一般に、被写体が遠くにある場合には、撮影レンズの焦点距離を長くする。また、一般に、ストロボ光は５ｍ程度しか届かないので、被写体もこの距離以内にして撮影する。したがって、ストロボ発光する条件では、デジタルズームを使わなくても良い被写体距離にした方が良い場合もある。
【００９０】
セルフタイマモードがオンになっていれば一時停止し、オフになっていれば一時停止しないようにする。セルフタイマ撮影では、撮影者がレリーズスイッチを押した後、セルフタイマ作動中（１０秒前後）に撮影者が被写体位置へ移動することになる。したがって、デジタルズームを使わなくても良い被写体距離にした方が良い場合もある。
【００９１】
リモコンモードがオンになっていれば一時停止し、オフになっていれば一時停止しないようにする。一般に、リモコンの到達距離は５ｍ前後であり、被写体でもある撮影者は、この距離以内に存在する。したがって、デジタルズームを使わなくても良い被写体距離にした方が良い場合もある。
【００９２】
また、ＩＳＯ感度が高感度ならば一時停止し、低感度ならば一時停止しないようにする。撮像素子１７にＣＣＤ等が用いられた、いわゆるデジタルカメラは、撮像素子の感度を随時変えることができ、銀塩カメラでも装填するフィルムの感度は様々である。
【００９３】
パノラマモードがオンになっていれば一時停止し、オフになっていれば一時停止しないようにする。また、いわゆるデジタルカメラでは、複数の画像を合成してパノラマ画像を得るものがある。このとき、より良く画像合成するためには、各画像の合成部分付近にノイズ等の被写体以外の情報が無い方が良い。銀塩カメラではフィルムの上下をトリミングして、いわゆるパノラマプリントを得るものがある。
【００９４】
更に、ファインダが光学ファインダのみ有効ならば一時停止し、電子ファインダまたはスルー画が有効ならば一時停止しないようにする。電子ファインダやスルー画は撮像素子１７で得られた画像を表示するので、デジタルズームモードであってもファインダいっぱいに撮影範囲を示すことができる。
【００９５】
ところがデジタルズームモードでは、機械系の動作が行われないので、図１３に示されるように、光学ファインダの焦点距離は変わらずに、光学ファインダ（ファインダ７０）内に描かれた線（デジタルズーム７１ａ〜７１ｄ）で撮影範囲を示すことになる。つまり、被写体を小さく見ることになるので、デジタルズームモードを使わずに撮影する方が良い場合もある。
【００９６】
ズーム位置表示が光学かデジタルかを表示するのみならば一時停止し、詳細位置を表示なるならば一時停止しないようにする。
【００９７】
例えば、図１４に示されるように、デジタルズームテレ端７４ａ、ワイド端７４ｂを有するデジタルズーム用インジケータ７４と、光学ズームテレ端７５ａ、ワイド端７５ｂを有する光学ズーム用インジケータ７５と、現在のズーム位置表示７６とから表示器を構成する。このような、現在の表示位置が全体のどのあたりか分かるような表示ならば、光学ズームテレ端にいるのかどうかも分かるので、一時停止の必要はない。
【００９８】
ところが、図１５に示されるように、現在は光学ズームモードであるのかデジタルズームモードであるのかのみの表示も考えられる。例えば、図１５（ａ）は光学ズームモードの表示例であり、図１５（ｂ）はデジタルズームモードの表示例である。この場合、白色で表されているのが点灯状態、斜線で表されているのが消灯状態であるとする。したがって、図１５（ａ）では光学ランプ７７が点灯状態、デジタルランプ７８が消灯状態であり、図１５（ｂ）では光学ランプ７７が消灯状態、デジタルランプ７８が点灯状態である。
【００９９】
こうした２種類の表示しかない場合のズーム表示では、現在が光学ズームテレ端にいるのかどうか等、詳細位置は分からない。したがって、光学ズームテレ端に設定しやすいズーム動作をした方が良い。
【０１００】
更に、外部機器を用いてズーム駆動する場合は一時停止せず、そうでなければ一時停止するようにする。パーソナルコンピュータ等の外部機器を用いてズーム駆動する場合、移動先のズーム位置は予め決まっているので、途中で一時停止する必要はない。
【０１０１】
以上、この発明の実施形態について説明したが、この発明は上述した実施形態以外にも、発明の要旨を逸脱しない範囲で種々の変形実施が可能である。
【０１０２】
以上のように、本実施形態によれば、カメラが光学ズームモード或いはデジタルズームモードのワイド端またはテレ端に停止させる必要がある状況ならば一時停止を可能にし、そうでない状況ならば一時停止を行わないようにしたので、ズーム動作に無駄が無く、且つ容易に所望のズーム位置に設定することができる。
【図面の簡単な説明】
【０１０３】
【図１】本発明の一実施形態の構成を示すカメラのブロック図である。
【図２】本実施形態に於けるカメラのデジタルズーム処理様態の例を示したもので、（ａ）、（ｂ）、（ｄ）及び（ｅ）はデジタルズーム処理をしない場合、（ｃ）及び（ｆ）はデジタルズーム処理を行う場合の画像の例を示した図である。
【図３】トリミング領域の設定可能範囲の例を示した図である。
【図４】本実施形態のズーム動作の例を説明するもので、操作者がズームアップスイッチ５８ａをオンしたままの場合を示した図である。
【図５】操作者がズームアップスイッチ５８ａを途中でオフした場合のズーム動作を説明するもので、（ａ）は光学ズームワイド端から光学ズームテレ端の間でオフした場合を示した図、（ｂ）はデジタルズームワイド端からデジタルズームテレ端の間でオフされた場合のズーム動作を示した図、（ｃ）はデジタルズームワイド端からデジタルズームテレ端の間で、所定時間（ｔ１）にオフされた場合のズーム動作を示した図である。
【図６】操作者がズームダウンスイッチ５８ｂをオンしたままのズーム動作を説明する図である。
【図７】操作者がズームダウンスイッチを途中でオフした場合の動作を説明するもので、（ａ）は光学ズームワイド端から光学ズームテレ端の間でオフした場合の動作を示した図、（ｂ）はデジタルズームワイド端からデジタルズームテレ端の間でオフした場合を示した図、（ｃ）は所定時間（ｔ１）にオフした場合を示した図である。
【図８】本実施形態のズーム動作を説明するもので、操作者がズームアップスイッチ５８ａをオンしたままの例を示した図である。
【図９】操作者がズームアップスイッチ５８ａを途中でオフした例のズーム動作を説明する図である。
【図１０】動画撮影中のズーム動作例を説明するもので、（ａ）はズームアップ直前の画像を示した図、（ｂ）は途中の画像を示した図、（ｃ）はズームアップの最後の画像を示した図である。
【図１１】動画撮影中のズームアップの動作例を示したもので、（ａ）は一時停止無し状態を示した図、（ｂ）は一時停止有りの状態を示した図である。
【図１２】ズームアップスイッチ５８ａ、ズームダウンスイッチ５８ｂの構成を示した図である。
【図１３】光学ファインダの例を示した図である。
【図１４】デジタルズームと光学ズームに於けるズーム位置表示の例を示した図である。
【図１５】本実施形態に於けるズームモードの表示例を示すもので、（ａ）は光学ズームモードを示した図、（ｂ）はデジタルズームモードを示した図である。
【図１６】従来のカメラの外観構成を示す斜視図である。
【図１７】従来のカメラに於ける光学ズームとデジタルズームの動作について説明する図である。
【図１８】従来のカメラに於けるズーム途中停止の動作について説明する図である。
【図１９】従来のカメラに於けるズームアップ動作について説明する図である。
【図２０】従来のカメラに於けるズームアップ途中停止の動作について説明する図である。
【符号の説明】
【０１０４】
１１…被写体、１２…撮影レンズ、１３…絞り、１５…ズームレンズ、１７…撮像素子、２０…ファインダ対物、２１…接眼レンズ、２５…カメラ制御部、２６…レンズ駆動部、２７…絞り駆動部、２８…シャッタ駆動部、２９…ズーム駆動部、３２…画像取り出し部、３３…画像記憶部、３４…画像処理部、３５…撮像素子感度設定部、３７…デジタルズーム部、３８…ズーム一時停止部、３９…動画処理部、４１…絞り選択部、４３…測光部、４５…測距部、４８…ストロボ発光部、４９…ストロボ充電部、５２…モード設定部、５３…画像表示部、５４…表示部、５５…レリーズスイッチ部、５６…レリーズスイッチ、５７…ズームスイッチ部、５８…ズームスイッチ、５８ａ…ズームアップスイッチ、５８ｂ…ズームダウンスイッチ。
【図１】
2005328253.tif 000003
【図２】
2005328253.tif 000004
【図３】
2005328253.tif 000005
【図４】
2005328253.tif 000006
【図５】
2005328253.tif 000007
【図６】
2005328253.tif 000008
【図７】
2005328253.tif 000009
【図８】
2005328253.tif 000010
【図９】
2005328253.tif 000011
【図１０】
2005328253.tif 000012
【図１１】
2005328253.tif 000013
【図１２】
2005328253.tif 000014
【図１３】
2005328253.tif 000015
【図１４】
2005328253.tif 000016
【図１５】
2005328253.tif 000017
【図１６】
2005328253.tif 000018
【図１７】
2005328253.tif 000019
【図１８】
2005328253.tif 000020
【図１９】
2005328253.tif 000021
【図２０】
2005328253.tif 000022